(57)【要約】  【課題】  折曲部の厚みを従来より増すことなく折曲部の剛性を従来より向上させることができる光ヘッド装置を提供する。  【解決手段】  光ヘッド装置は、対物レンズおよび駆動コイルを保持するレンズホルダと、駆動コイルとともに駆動用の磁気回路を構成する駆動マグネット７１を保持するヨークとを有し、ヨークは、平板状磁性体を折曲して形成されて駆動マグネット７１が配設された折曲部６１ｄを有し、折曲部６１ｄは、幅が駆動マグネット７１の幅より大きく形成されるとともに、幅方向の中央位置より偏って駆動マグネット７１が配設され、駆動マグネット７１が中央位置に移動するのを阻止する突起６１ａ、６１ｂを有することを特徴とする。【選択図】  図８
2009099214.tif 000002
【特許請求の範囲】
【請求項１】
対物レンズおよび駆動コイルを保持するレンズホルダと、前記駆動コイルとともに駆動用の磁気回路を構成する駆動マグネットを保持するヨークとを有し、
前記ヨークは、平板状磁性体を折曲して形成されて前記駆動マグネットが配設された折曲部を有し、
前記折曲部は、幅が前記駆動マグネットの幅より大きく形成されるとともに、幅方向の中央位置より偏って前記駆動マグネットが配設され、前記駆動マグネットが前記中央位置に移動するのを阻止する阻止部を有することを特徴とする光ヘッド装置。
【請求項２】
対物レンズおよび駆動コイルを保持するレンズホルダと、前記駆動コイルとともに駆動用の磁気回路を構成する駆動マグネットを保持するヨークとを有し、
前記ヨークは、平板状磁性体を折曲して形成されて前記駆動マグネットがそれぞれ配設された複数の折曲部と、前記複数の折曲部を連結する連結部とを有し、
前記折曲部は、前記駆動マグネットが前記連結部の方向に移動するのを阻止する阻止部を有することを特徴とする光ヘッド装置。
【請求項３】
前記駆動マグネットは、ネジロック用接着剤、エポキシ系接着剤または嫌気性接着剤によって前記折曲部に接着固定されていることを特徴とする請求項１または請求項２に記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、薄型の光ヘッド装置が知られている（例えば、特許文献１参照。）。従来の光ヘッド装置は、対物レンズおよび駆動コイルを保持するレンズホルダと、駆動コイルとともに駆動用の磁気回路を構成する駆動マグネットを保持するヨークとを有している。そして、ヨークは、平板状磁性体を折曲して形成されて駆動マグネットが配設された折曲部を有している。
【特許文献１】特開２００７−１８８５６４号公報
【発明の開示】
【発明が解決しようとする課題】
【０００３】
しかしながら、従来の光ヘッド装置においては、光ヘッド装置の小型化に伴って駆動マグネットが小型化している状況下、折曲部の幅が駆動マグネットの幅と略同じ程度に細く形成されているので、折曲部が剛性不足によって共振するという問題がある。
【０００４】
折曲部の剛性を向上させる方法としては、折曲部の厚みを増す方法があるが、折曲部の厚みが厚いと、折曲部の折り曲げ時に折曲部に亀裂が生じ易いという問題や、折り曲げ箇所の谷折り側や幅方向の外側にできる磁性体の肉の盛り上がりが大きくて折り曲げ箇所の近辺に駆動マグネットや他の部材が配設できないという問題がある。
【０００５】
本発明は、従来の問題を解決するためになされたもので、折曲部の厚みを従来より増すことなく折曲部の剛性を従来より向上させることができる光ヘッド装置を提供することを目的とする。
【課題を解決するための手段】
【０００６】
本発明の光ヘッド装置は、対物レンズおよび駆動コイルを保持するレンズホルダと、前記駆動コイルとともに駆動用の磁気回路を構成する駆動マグネットを保持するヨークとを有し、前記ヨークは、平板状磁性体を折曲して形成されて前記駆動マグネットが配設された折曲部を有し、前記折曲部は、幅が前記駆動マグネットの幅より大きく形成されるとともに、幅方向の中央位置より偏って前記駆動マグネットが配設され、前記駆動マグネットが前記中央位置に移動するのを阻止する阻止部を有することを特徴とする。
【０００７】
この構成により、本発明の光ヘッド装置は、折曲部の幅を駆動マグネットの幅より大きくすることによって生じる不都合、すなわち駆動マグネットが磁性体である折曲部の中央位置に引き寄せられるという不都合を阻止部によって解消することができるので、折曲部の幅を駆動マグネットの幅より大きくすることによって、折曲部の厚みを従来より増すことなく折曲部の剛性を従来より向上させることができる。
【０００８】
また、本発明の光ヘッド装置は、対物レンズおよび駆動コイルを保持するレンズホルダと、前記駆動コイルとともに駆動用の磁気回路を構成する駆動マグネットを保持するヨークとを有し、前記ヨークは、平板状磁性体を折曲して形成されて前記駆動マグネットがそれぞれ配設された複数の折曲部と、前記複数の折曲部を連結する連結部とを有し、前記折曲部は、前記駆動マグネットが前記連結部の方向に移動するのを阻止する阻止部を有することを特徴とする。
【０００９】
この構成により、本発明の光ヘッド装置は、複数の折曲部を連結部によって連結することによって生じる不都合、すなわち駆動マグネットが磁性体である連結部の方向に引き寄せられるという不都合を阻止部によって解消することができるので、複数の折曲部を連結部によって連結することによって、折曲部の厚みを従来より増すことなく折曲部の剛性を従来より向上させることができる。
【００１０】
また、本発明の光ヘッド装置の前記駆動マグネットは、ネジロック用接着剤、エポキシ系接着剤または嫌気性接着剤によって前記折曲部に接着固定されていることを特徴とすることが好ましい。
【００１１】
本発明の光ヘッド装置は、駆動マグネットの移動を阻止部によって阻止することができるので、駆動マグネットと、折曲部とが速乾性の接着剤以外の接着剤、すなわちネジロック用接着剤、エポキシ系接着剤または嫌気性接着剤によって接着されることができる。
【発明の効果】
【００１２】
本発明によれば、折曲部の厚みを従来より増すことなく折曲部の剛性を従来より向上させることができる光ヘッド装置を提供することができる。
【発明を実施するための最良の形態】
【００１３】
以下、本発明の一実施の形態について、図面を用いて説明する。
【００１４】
まず、本実施の形態に係る光ヘッド装置の構成について説明する。
【００１５】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。
【００１６】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００１７】
図１〜図３に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０とを備えている。
【００１８】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００１９】
金属カバー１２は、装置フレーム１１の突起１１ｃに嵌まる穴部１２ａと、装置フレーム１１の爪１１ｄに係合する溝部１２ｂとを備えている。
【００２０】
金属カバー１３は、対物レンズ３１から出射されるレーザ光を通過させる穴部１３ａを有しており、対物レンズ駆動機構４０を覆っている。
【００２１】
レーザ光源装置２１、レーザ光源装置２２およびモニタ用受光素子２３は、装置フレーム１１に搭載されており、金属カバー１２によって覆われている。
【００２２】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。
【００２３】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００２４】
フレキシブル回路基板５０は、レーザ光源装置２１と電気的に接続される図示していない端部と、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００２５】
図４は、対物レンズ駆動機構４０の斜視図である。図５（ａ）、（ｂ）は、それぞれ対物レンズ駆動機構４０の平面図、右側面図である。図６（ａ）〜（ｃ）は、それぞれ対物レンズ駆動機構４０の正面図、背面図、底面図である。図４および図６（ａ）においては、後述するゲル状緩衝材の図示を省略している。
【００２６】
図４〜図６に示すように、対物レンズ駆動機構４０は、矢印Ｔｒで示すトラッキング方向において略対称であるので、片側については説明を省略する。対物レンズ駆動機構４０は、装置フレーム１１（図２参照。）に固定された磁性体のヨーク６０と、ヨーク６０に取り付けられた駆動マグネット７１、７２と、対物レンズ３１を保持するレンズホルダ８０と、レンズホルダ８０に取り付けられて駆動マグネット７１、７２とともに矢印Ｔｒで示すトラッキング方向における駆動用の磁気回路を構成するトラッキング駆動コイル９１、９２と、レンズホルダ８０に取り付けられて駆動マグネット７１、７２とともに矢印Ｆｏで示すフォーカシング方向における駆動用の磁気回路を構成するフォーカシング駆動コイル９３と、レンズホルダ８０に連結されたワイヤ１０１〜１０３と、ヨーク６０に固定されてワイヤ１０１〜１０３を介してレンズホルダ８０を矢印Ｔｒで示すトラッキング方向、矢印Ｆｏで示すフォーカシング方向および矢印Ｔｉで示すチルト方向に移動可能に支持するホルダ支持部材１１０と、フレキシブル回路基板５０（図２参照。）の図示していない端部およびワイヤ１０１〜１０３と電気的に接続されてホルダ支持部材１１０に固定された基板１２０と、ヨーク６０に対してレンズホルダ８０および基板１２０を固定するネジ１３０とを備えている。
【００２７】
図７（ａ）は、ヨーク６０、ホルダ支持部材１１０および基板１２０の平面図である。図７（ｂ）は、ヨーク６０、ホルダ支持部材１１０および基板１２０の右側面図である。図８（ａ）、（ｂ）は、それぞれ図７（ａ）のＡ−Ａ矢視断面図、Ｂ−Ｂ矢視断面図である。図８（ｂ）においては、後述するゲル状緩衝材の図示を省略している。
【００２８】
図７および図８に示すように、ヨーク６０は、駆動マグネット７１が固定される壁部６１と、壁部６１と平行に配置されて駆動マグネット７２が固定される壁部６２と、壁部６１および壁部６２を連結して装置フレーム１１（図２参照。）に設置される設置部６３と、設置部６３から立ち上げられてフォーカシング駆動コイル９３（図５（ａ）参照。）に挿入される挿入部６４と、壁部６２に対して壁部６１とは反対側で壁部６２と平行に配置された壁部６５と、壁部６２および壁部６５を連結して壁部６２に対して壁部６５を支持する支持部６６とを有している。
【００２９】
壁部６１は、駆動マグネット７１の矢印Ｔｒ（図５（ａ）参照。）で示すトラッキング方向の位置決めに使用される円柱状の突起６１ａ、６１ｂと、駆動マグネット７１の矢印Ｆｏ（図５（ｂ）参照。）で示すフォーカシング方向の位置決めに使用される円柱状の突起６１ｃと、平板状磁性体を折曲して形成されて駆動マグネット７１が配設される折曲部６１ｄと、矢印Ｔｒで示すトラッキング方向に離隔した２つの折曲部６１ｄを連結する連結部６１ｅとを有している。矢印Ｔｒで示すトラッキング方向に離隔した２つの折曲部６１ｄの間にはコリメートレンズ３８（図２参照。）が挿入されるので、連結部６１ｅは、光ヘッド装置１０の薄型化のため、矢印Ｆｏで示すフォーカシング方向の幅が小さくなっている。したがって、折曲部６１ｄは、剛性を確保するために矢印Ｔｒで示すトラッキング方向の幅が大きくなっており、矢印Ｔｒで示すトラッキング方向の駆動マグネット７１の幅より大きく形成されている。また、折曲部６１ｄは、矢印Ｔｒで示すトラッキング方向の幅方向の中央位置より一方側、すなわち連結部６１ｅ側に偏って駆動マグネット７１が配設されている。折曲部６１ｄに形成された突起６１ａ、６１ｂは、矢印Ｔｒで示すトラッキング方向の駆動マグネット７１の幅方向の中央位置に対して矢印Ｔｒで示すトラッキング方向の折曲部６１ｄの幅方向の中央位置の方向に設置されており、駆動マグネット７１が矢印Ｔｒで示すトラッキング方向の折曲部６１ｄの幅方向の中央位置に移動するのを阻止する阻止部を構成している。
【００３０】
壁部６２は、駆動マグネット７２の矢印Ｔｒで示すトラッキング方向の位置決めに使用される円柱状の突起６２ａ、６２ｂと、駆動マグネット７２の矢印Ｆｏで示すフォーカシング方向の位置決めに使用される円柱状の突起６２ｃと、平板状磁性体を折曲して形成されて駆動マグネット７２が配設される折曲部６２ｄと、矢印Ｔｒで示すトラッキング方向に離隔した２つの折曲部６２ｄを連結する連結部６２ｅとを有している。折曲部６２ｄに形成された突起６２ａ、６２ｂは、駆動マグネット７２の幅方向の中央位置に対して連結部６２ｅの方向に設置されており、駆動マグネット７２が連結部６２ｅの方向に移動するのを阻止する阻止部を構成している。
【００３１】
壁部６５は、ネジ１３０が螺合されるネジ穴６５ａと、ネジ穴６５ａの両側に開けられてホルダ支持部材１１０の位置決めに使用される穴６５ｂ（図４参照。）とを有している。
【００３２】
駆動マグネット７１、７２は、ヨーク６０の挿入部６４側がＮ極になっている。すなわち、駆動マグネット７１、７２の対物レンズ３１側を内側としたとき、外側がＮ極になっている。駆動マグネット７１、７２は、ネジロック用接着剤、エポキシ系接着剤または嫌気性接着剤によってそれぞれヨーク６０の折曲部６１ｄ、６２ｄに接着固定されている。
【００３３】
図４〜図６に示すように、トラッキング駆動コイル９１は、矢印Ｆｏで示すフォーカシング方向に延在する２辺のうち１辺が駆動マグネット７１と、ヨーク６０の挿入部６４との間に配置されている。ここで、駆動マグネット７１と、ヨーク６０の挿入部６４との間には、矢印Ｆｏで示すフォーカシング方向と、矢印Ｔｒで示すトラッキング方向との双方に直交する矢印１０ａで示す方向に磁界が発生している。したがって、トラッキング駆動コイル９１は、電流が流されることによって矢印Ｔｒで示すトラッキング方向の電磁力を受け、レンズホルダ８０に固定された対物レンズ３１を矢印Ｔｒで示すトラッキング方向に移動させる。トラッキング駆動コイル９１と、駆動マグネット７１およびヨーク６０の挿入部６４との位置関係について説明したが、トラッキング駆動コイル９２と、駆動マグネット７２およびヨーク６０の挿入部６４との位置関係についても同様である。なお、トラッキング駆動コイル９１、９２の配線は、トラッキング駆動コイル９１、９２に電流が流されたときにトラッキング駆動コイル９１、９２に発生する電磁力によって対物レンズ３１が矢印Ｔｒで示すトラッキング方向のみに移動するように適切に設定されている。
【００３４】
フォーカシング駆動コイル９３は、矢印Ｔｒで示すトラッキング方向に延在する２辺のうち１辺が駆動マグネット７１と、ヨーク６０の挿入部６４との間に配置され、残りの１辺が駆動マグネット７２と、ヨーク６０の挿入部６４との間に配置されている。ここで、駆動マグネット７１およびヨーク６０の挿入部６４の間と、駆動マグネット７２およびヨーク６０の挿入部６４の間とには、矢印１０ａで示す方向であって互いに逆向きの磁界が発生している。したがって、フォーカシング駆動コイル９３は、電流が流されることによって矢印Ｆｏで示すフォーカシング方向の電磁力を受け、レンズホルダ８０に固定された対物レンズ３１を矢印Ｆｏで示すフォーカシング方向に移動させる。なお、２つのフォーカシング駆動コイル９３に矢印Ｆｏで示すフォーカシング方向であって互いに逆向きの電磁力が発生するようにフォーカシング駆動コイル９３に流される電流が制御されることによって、対物レンズ３１は、矢印Ｔｉで示すチルト方向に移動することができる。
【００３５】
ワイヤ１０１〜１０３は、所定のバネ定数を有するワイヤであって、矢印１０ａで示す方向にそれぞれ延在して、矢印Ｔｒで示すトラッキング方向におけるレンズホルダ８０の両側に矢印Ｆｏで示すフォーカシング方向に沿って配設されている。ワイヤ１０１〜１０３は、レンズホルダ８０側の端部でレンズホルダ８０上の基板８１を介してそれぞれトラッキング駆動コイル９１、９２およびフォーカシング駆動コイル９３の何れかに電気的に接続されており、基板１２０側の端部で基板１２０に電気的に接続されている。
【００３６】
ホルダ支持部材１１０は、中央に形成されてネジ１３０を通す図示していない中央穴と、中央穴の両側に形成されて位置決めのためにヨーク６０の穴６５ｂに挿入される突起１１１と、中央穴の両側に形成されて基板１２０の位置決めのために使用される突起１１２と、突起１１１に対して中央穴とは反対側に形成されレンズホルダ８０側に開口してワイヤ１０１〜１０３が挿入されたゲルポット１１３と、ゲルポット１１３に連通し基板１２０側に開口してそれぞれワイヤ１０１、１０２、１０３が挿入された穴１１４、１１５、１１６とを有している。
【００３７】
図９は、図６（ｂ）のＣ−Ｃ矢視断面図である。
【００３８】
図９に示すように、ホルダ支持部材１１０のゲルポット１１３には、ワイヤ１０１〜１０３が埋設されるゲル状緩衝材１１７が封入されている。ゲル状緩衝材１１７は、ワイヤ１０１〜１０３が埋設されることによって、ワイヤ１０１〜１０３に対して固定されたレンズホルダ８０に発生しがちな共振現象を抑制するものである。
【００３９】
図４〜図６に示すように、基板１２０は、中央に形成されてネジ１３０を通す図示していない中央穴と、中央穴の両側に形成されて位置決めのためにホルダ支持部材１１０の突起１１２が挿入される穴１２１と、穴１２１に対して中央穴とは反対側に形成されてそれぞれワイヤ１０１〜１０３が挿入される貫通穴１２２〜１２４とを有している。
【００４０】
以上に説明したように、光ヘッド装置１０は、矢印Ｔｒで示すトラッキング方向の折曲部６１ｄの幅を矢印Ｔｒで示すトラッキング方向の駆動マグネット７１の幅より大きくすることによって生じる不都合、すなわち駆動マグネット７１が磁性体である折曲部６１ｄの矢印Ｔｒで示すトラッキング方向の幅方向の中央位置に引き寄せられるという不都合を突起６１ａ、６１ｂによって解消することができるので、矢印Ｔｒで示すトラッキング方向の折曲部６１ｄの幅を矢印Ｔｒで示すトラッキング方向の駆動マグネットの幅より大きくすることによって、折曲部６１ｄの厚みを従来より増すことなく折曲部６１ｄの剛性を従来より向上させることができる。なお、図８（ａ）に示すように駆動マグネット７１が折曲部６１ｄから一部がはみ出している場合、駆動マグネット７１が折曲部６１ｄからはみ出さない方向に移動しようとするので、突起６１ａ、６１ｂは、駆動マグネット７１の移動防止のために特に有効である。
【００４１】
また、光ヘッド装置１０は、矢印Ｔｒで示すトラッキング方向に離隔した２つの折曲部６２ｄを連結部６２ｅによって連結することによって生じる不都合、すなわち駆動マグネット７２が磁性体である連結部６２ｅの方向に引き寄せられるという不都合を突起６２ａ、６２ｂによって解消することができるので、２つの折曲部６２ｄを連結部６２ｅによって連結することによって、折曲部６２ｄの厚みを従来より増すことなく折曲部６２ｄの剛性を従来より向上させることができる。
【００４２】
また、光ヘッド装置１０は、駆動マグネット７１の移動を突起６１ａ、６１ｂによって阻止することができるとともに、駆動マグネット７２の移動を突起６２ａ、６２ｂによって阻止することができるので、駆動マグネット７１および折曲部６１ｄと、駆動マグネット７２および折曲部６２ｄとがそれぞれ速乾性の接着剤以外の接着剤、すなわちネジロック用接着剤、エポキシ系接着剤または嫌気性接着剤によって接着されることができる。したがって、光ヘッド装置１０は、駆動マグネット７１および折曲部６１ｄと、駆動マグネット７２および折曲部６２ｄとをそれぞれ従来のように速乾性の紫外線硬化樹脂で接着する必要がなく、紫外線硬化樹脂を硬化させるための設備を不要とすることができる。
【図面の簡単な説明】
【００４３】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す対物レンズ駆動機構の斜視図であって、ゲル状緩衝材の図示を省略した図である。
【図５】（ａ）図１に示す対物レンズ駆動機構の平面図である。  （ｂ）図１に示す対物レンズ駆動機構の右側面図である。
【図６】（ａ）図１に示す対物レンズ駆動機構の正面図であって、ゲル状緩衝材の図示を省略した図である。  （ｂ）図１に示す対物レンズ駆動機構の背面図である。  （ｃ）図１に示す対物レンズ駆動機構の底面図である。
【図７】（ａ）図２に示すヨーク、ホルダ支持部材および基板の平面図である。  （ｂ）図２に示すヨーク、ホルダ支持部材および基板の右側面図である。
【図８】（ａ）図７（ａ）のＡ−Ａ矢視断面図である。  （ｂ）図７（ａ）のＢ−Ｂ矢視断面図であって、ゲル状緩衝材の図示を省略した図である。
【図９】図６（ｂ）のＣ−Ｃ矢視断面図である。
【符号の説明】
【００４４】
１０  光ヘッド装置
３１  対物レンズ
６０  ヨーク
６１ａ、６１ｂ  突起（阻止部）
６１ｄ  折曲部
６２ａ、６２ｂ  突起（阻止部）
６２ｄ  折曲部
６２ｅ  連結部
７１、７２  駆動マグネット
８０  レンズホルダ
９１、９２  トラッキング駆動コイル
９３  フォーカシング駆動コイル
【図１】
2009099214.tif 000003
【図２】
2009099214.tif 000004
【図３】
2009099214.tif 000005
【図４】
2009099214.tif 000006
【図５】
2009099214.tif 000007
【図６】
2009099214.tif 000008
【図７】
2009099214.tif 000009
【図８】
2009099214.tif 000010
【図９】
2009099214.tif 000011